(57)【特許請求の範囲】
【請求項１】
制御情報の送信を促進する進化型ノードＢ（ｅＮＢ）によって用いられる装置であって、
前記装置は、
無線通信ネットワークを介してユーザ機器（ＵＥ）と通信する通信モジュールと、
前記通信モジュールに連結される制御モジュールと
を備え、
前記制御モジュールは、
複数のＰＲＢのペアを含む拡張物理下りリンク制御チャネル（ＥＰＤＣＣＨ）−物理リソースブロック（ＰＲＢ）セットを前記ＵＥに対して設定し、
前記ＥＰＤＣＣＨ−ＰＲＢセットの前記複数のＰＲＢのペアから前記ＵＥに対する複数の分散型のＥＰＤＣＣＨ候補のセットを決定し、
前記ＥＰＤＣＣＨ−ＰＲＢセットは、前記複数のＰＲＢのペアの間で分散された複数の拡張リソースエレメントグループ（ＥＲＥＧ）を含む複数の分散型の拡張制御チャネルエレメント（ＥＣＣＥ）を有する分散型のＥＰＤＣＣＨ−ＰＲＢセットとして設定され、
前記複数の分散型のＥＰＤＣＣＨ候補のそれぞれは、前記複数の分散型のＥＣＣＥのうちの１または複数を含み、
前記複数の分散型のＥＰＤＣＣＨ候補のセットのうちの異なる前記複数の分散型のＥＰＤＣＣＨ候補は、前記複数のＰＲＢのペアの異なる局在のＥＣＣＥの複数のＥＲＥＧを含む複数の分散型のＥＣＣＥに、まずマッピングされ、次に他の分散型のＥＰＤＣＣＨ候補と同じ局在のＥＣＣＥの複数のＥＲＥＧを含む複数の分散型のＥＣＣＥにマッピングされる、装置。
【請求項２】
前記ＥＰＤＣＣＨ−ＰＲＢセットは、第１のＥＰＤＣＣＨ−ＰＲＢセットであり、前記制御モジュールは、探索空間方程式に基づいて前記複数の分散型のＥＰＤＣＣＨ候補のセットを決定し、
前記制御モジュールは、さらに、前記第１のＥＰＤＣＣＨ−ＰＲＢセットの前記複数のＰＲＢのペアに完全に重複、部分的に重複、または全く重複しない複数のＰＲＢのペアを含む第２のＥＰＤＣＣＨ−ＰＲＢセットを、前記ＵＥまたは他のＵＥに対して設定し、
前記探索空間方程式に基づいて、前記第２のＥＰＤＣＣＨ−ＰＲＢセットから前記ＵＥまたは前記他のＵＥに対する複数の局在のＥＰＤＣＣＨ候補のセットを決定し、
前記第２のＥＰＤＣＣＨ−ＰＲＢセットは、同じＰＲＢのペアの複数のＥＲＥＧを有する複数の局在のＥＣＣＥを含む局在のＥＰＤＣＣＨ−ＰＲＢセットとして設定される、請求項１に記載の装置。
【請求項３】
複数の局在のＥＰＤＣＣＨ候補の前記セットは、前記第２のＥＰＤＣＣＨ−ＰＲＢセットの前記複数のＰＲＢのペアのそれぞれの複数の局在のＥＣＣＥを含む、請求項２に記載の装置。
【請求項４】
前記ＥＰＤＣＣＨ−ＰＲＢセットは、４個のＰＲＢのペアおよび１６個の分散型のＥＣＣＥを含み、前記複数のＰＲＢのペアのそれぞれは、４つの局在のＥＣＣＥを含む、請求項１に記載の装置。
【請求項５】
前記制御モジュールは、さらに、前記複数の分散型のＥＰＤＣＣＨ候補の一つについての前記ＵＥに対する下りリンク制御情報（ＤＣＩ）を含むＥＰＤＣＣＨを送信する、請求項１に記載の装置。
【請求項６】
複数の分散型のＥＰＤＣＣＨ候補の前記セットのうちＥＰＤＣＣＨ候補ｍに対応する複数のＥＣＣＥのセットは、
【数１】
0005973666.tif 000004
により与えられ、
ここで、ｐは、複数の分散型のＥＰＤＣＣＨ候補の前記セットの識別子であり、Ｙｐ，ｋは、複数の分散型のＥＰＤＣＣＨ候補の前記セットに対する開始候補インデックスであり、Ｌは、前記複数の分散型のＥＰＤＣＣＨ候補の１つで送信されるＥＰＤＣＣＨのアグリゲーションレベルであり、Ｍｐ（Ｌ）は、複数の分散型のＥＰＤＣＣＨ候補の前記セットのＥＰＤＣＣＨ候補の数であり、ｋは、前記ＵＥに関連するサブフレームであり、ＮＥＣＣＥ，ｐ，ｋは、前記無線通信ネットワークでのサブフレームｋの制御領域内のＥＣＣＥの総数であり、ｉ＝０，...，Ｌ−１、ｍ＝０，１，...，Ｍｐ（Ｌ）−１、ｂは、複数の分散型のＥＰＤＣＣＨ候補の前記セットに関連するサービングセルに対するキャリアインジケータフィールド値または０に等しい、請求項１から請求項５のいずれか１つに記載の装置。
【請求項７】
前記ＥＰＤＣＣＨ−ＰＲＢセットは、第１の数のＰＲＢのペアを有する第１のＥＰＤＣＣＨ−ＰＲＢセットであり、
前記制御モジュールは、さらに、第２の数のＰＲＢのペアを有する第２のＥＰＤＣＣＨ−ＰＲＢセットで前記ＵＥを設定し、
前記第２のＥＰＤＣＣＨ−ＰＲＢセットは、分散型のＥＰＤＣＣＨ−ＰＲＢセットまたは局在のＥＰＤＣＣＨ−ＰＲＢセットであり、
前記第１のＥＰＤＣＣＨ−ＰＲＢセットの複数の分散型のＥＰＤＣＣＨ候補の前記セット内のＥＰＤＣＣＨ候補の数は、前記第２の数のＰＲＢのペアに対する前記第１の数のＰＲＢのペアの割合に基づく、請求項１から請求項５のいずれか１つに記載の装置。
【請求項８】
ユーザ機器（ＵＥ）への制御チャネルの送信を促進する進化型ノードＢにより用いられる装置であって、
複数のＰＲＢのペアを含む拡張物理下りリンク制御チャネル（ＥＰＤＣＣＨ）−ＰＲＢセットを前記ＵＥに対して設定する手段と、
前記ＥＰＤＣＣＨ−ＰＲＢセットの前記複数のＰＲＢのペアから前記ＵＥに対する複数の分散型のＥＰＤＣＣＨ候補のセットを決定する手段と
を備え、
前記ＥＰＤＣＣＨ−ＰＲＢセットは、前記複数のＰＲＢのペアの間に分散された複数のＥＲＥＧを含む複数の分散型の拡張制御チャネルエレメント（ＥＣＣＥ）を有する分散型のＥＰＤＣＣＨ−ＰＲＢセットとして設定され、
前記複数の分散型のＥＰＤＣＣＨ候補のそれぞれは、前記複数の分散型のＥＣＣＥのうちの１または複数を含み、
複数の分散型のＥＰＤＣＣＨ候補の前記セットの異なる前記複数の分散型のＥＰＤＣＣＨ候補は、前記複数のＰＲＢのペアの異なる複数の局在のＥＣＣＥの複数のＥＲＥＧを含む複数の分散型のＥＣＣＥに、まずマッピングされ、次に、他の分散型のＥＰＤＣＣＨ候補と同じ複数の局在のＥＣＣＥの複数のＥＲＥＧを含む複数の分散型のＥＣＣＥにマッピングされる、装置。
【請求項９】
前記ＥＰＤＣＣＨ−ＰＲＢセットは、第１のＥＰＤＣＣＨ−ＰＲＢセットであり、複数の分散型のＥＰＤＣＣＨ候補の前記セットは、探索空間方程式に基づいて決定され、
前記装置は、さらに、
前記第１のＥＰＤＣＣＨ−ＰＲＢセットの前記複数のＰＲＢのペアに完全に重複、部分的に重複、または全く重複しない複数のＰＲＢのペアを含む第２のＥＰＤＣＣＨ−ＰＲＢセットを、前記ＵＥまたは他のＵＥに対して、設定する手段と、
前記探索空間方程式に基づいて、前記第２のＥＰＤＣＣＨ−ＰＲＢセットから、前記ＵＥまたは前記他のＵＥに対する複数の局在のＥＰＤＣＣＨ候補のセットを決定する手段と
を備え、
前第２のＥＰＤＣＣＨ−ＰＲＢセットは、同じＰＲＢのペアの複数のＥＲＥＧを有する複数の局在のＥＣＣＥを含む局在のＥＰＤＣＣＨ−ＰＲＢセットとして設定される、請求項８に記載の装置。
【請求項１０】
ユーザ機器（ＵＥ）に用いられる装置であって、
無線通信ネットワークを介してユーザ機器（ＵＥ）と通信する通信回路と、
前記通信回路に連結される復号回路と
を備え、
前記復号回路は、
進化型ノードＢ（ｅＮＢ）から、複数の物理リソースブロック（ＰＲＢ）のペアを含む拡張物理下りリンク制御チャネル（ＥＰＤＣＣＨ）−ＰＲＢセットに対する複数の設定パラメータを受信し、
前記ＥＰＤＣＣＨ−ＰＲＢセットの前記複数のＰＲＢのペアから複数の分散型のＥＰＤＣＣＨ候補のセットを決定し、
前記ＥＰＤＣＣＨ−ＰＲＢセットは、前記複数のＰＲＢのペアの間で分散された複数の拡張リソースエレメントグループ（ＥＲＥＧ）を含む複数の分散型の拡張制御チャネルエレメント（ＥＣＣＥ）を有する分散型のＥＰＤＣＣＨ−ＰＲＢセットとして設定され、
前記複数の分散型のＥＰＤＣＣＨ候補のそれぞれは、前記複数の分散型のＥＣＣＥのうちの１または複数を含み、
前記複数の分散型のＥＰＤＣＣＨ候補のセットのうちの異なる前記複数の分散型のＥＰＤＣＣＨ候補は、前記複数のＰＲＢのペアの異なる局在のＥＣＣＥの複数のＥＲＥＧを含む複数の分散型のＥＣＣＥに、まずマッピングされ、次に他の分散型のＥＰＤＣＣＨ候補 と同じ局在のＥＣＣＥの複数のＥＲＥＧを含む複数の分散型のＥＣＣＥにマッピングされる、装置。
【請求項１１】
前記ＥＰＤＣＣＨ−ＰＲＢセットは、第１のＥＰＤＣＣＨ−ＰＲＢセットであり、前記復号回路は、探索空間方程式に基づいて前記複数の分散型のＥＰＤＣＣＨ候補のセットを決定し、
前記復号回路は、さらに、前記第１のＥＰＤＣＣＨ−ＰＲＢセットの前記複数のＰＲＢのペアに完全に重複、部分的に重複、または全く重複しない複数のＰＲＢのペアを含む第２のＥＰＤＣＣＨ−ＰＲＢセットに対する複数の設定パラメータを受信し、
前記探索空間方程式に基づいて、前記第２のＥＰＤＣＣＨ−ＰＲＢセットから前記ＵＥまたは他のＵＥに対する複数の局在のＥＰＤＣＣＨ候補のセットを決定し、
前記第２のＥＰＤＣＣＨ−ＰＲＢセットは、同じＰＲＢのペアの複数のＥＲＥＧを有する複数の局在のＥＣＣＥを含む局在のＥＰＤＣＣＨ−ＰＲＢセットとして設定される、請求項１０に記載の装置。
【請求項１２】
複数の局在のＥＰＤＣＣＨ候補の前記セットは、前記第２のＥＰＤＣＣＨ−ＰＲＢセットの前記複数のＰＲＢのペアのそれぞれの複数の局在のＥＣＣＥを含む、請求項１１に記載の装置。
【請求項１３】
前記復号回路は、前記ＵＥに対する下りリンク制御情報（ＤＣＩ）を含むＥＰＤＣＣＨに対する前記複数の分散型のＥＰＤＣＣＨ候補を監視する、請求項１０から１２のいずれか1つに記載の装置。
【請求項１４】
複数の分散型のＥＰＤＣＣＨ候補の前記セットのうちＥＰＤＣＣＨ候補ｍに対応する複数のＥＣＣＥのセットは、
【数１】
0005973666.tif 000005
により与えられ、
ここで、ｐは、複数の分散型のＥＰＤＣＣＨ候補の前記セットの識別子であり、Ｙｐ，ｋは、複数の分散型のＥＰＤＣＣＨ候補の前記セットに対する開始候補インデックスであり、Ｌは、前記複数の分散型のＥＰＤＣＣＨ候補の１つで送信されるＥＰＤＣＣＨのアグリゲーションレベルであり、Ｍｐ（Ｌ）は、複数の分散型のＥＰＤＣＣＨ候補の前記セットのＥＰＤＣＣＨ候補の数であり、ｋは、前記ＵＥに関連するサブフレームであり、ＮＥＣＣＥ，ｐ，ｋは、前記無線通信ネットワークでのサブフレームｋの制御領域内のＥＣＣＥの総数であり、ｉ＝０，...，Ｌ−１、ｍ＝０，１，...，Ｍｐ（Ｌ）−１、およびｂは、複数の分散型のＥＰＤＣＣＨ候補の前記セットに関連するサービングセルに対するキャリアインジケータフィールド値または０に等しい、請求項１０から請求項１３のいずれか１つに記載の装置。
【発明の詳細な説明】
【技術分野】
【０００１】
本願は、２０１２年９月２８日に出願された「次世代無線通信システムおよび手法」と題する米国仮出願６１／７０７，７８４を優先権主張している、２０１３年３月１４日に出願された「無線通信ネットワークにおける複数の拡張物理下りリンク制御チャネル候補の決定」と題する米国特許出願１３／８３０，２７７を優先権主張し、それらに開示された全体が参照に本明細書に組み込まれる。
［分野］
【０００２】
本願発明の複数の実施形態は、概して、通信の分野に関連して、より具体的には、無線通信ネットワークにおける拡張物理下りリンク制御チャネル候補の決定に関する。
【背景技術】
【０００３】
無線通信ネットワークにおいて、進化型ノードＢ（ｅＮＢ）は、拡張物理下りリンク制御チャネル（ＥＰＤＣＣＨ）などの制御チャネルをユーザ機器（ＵＥ）に送信する。ＥＰＤＣＣＨは、物理下りリンク共有チャネル（ＰＤＳＣＨ）を受信するＵＥによって用いられる情報とともに下りリンク制御情報（ＤＣＩ）を含む。多くの無線通信ネットワークにおいて、ｅＮＢは、ｅＰＤＣＣＨの局在または分散の送信のいずれかを使用してよい。
【図面の簡単な説明】
【０００４】
複数の実施形態は、添付の複数の図面とともに以下の詳細な説明によって、容易に理解されるであろう。この記載を手助けするために、同様の参照番号は同様の構造エレメントを指定する。
複数の実施形態は、添付の複数の図面に限定のためでなく、例として示されるものである。
【０００５】
【図１】様々な実施形態に従った無線通信ネットワークを例示するブロック図である。
【０００６】
【図２】様々な実施形態に従った拡張物理下りリンク制御チャネル（ＥＰＤＣＣＨ）物理リソースブロック（ＰＲＢ）セットのブロック図である。
【０００７】
【図３】様々な実施形態に従った、複数の分散型の拡張制御チャネルエレメント（ＥＣＣＥ）のそれぞれに、図２のＥＰＤＣＣＨ−ＰＲＢセットの複数のＰＲＢのペアの複数の拡張リソースエレメントグループ（ｅＲＥＧ）をマッピングするためのマッピングスキームを例示するための図である。
【０００８】
【図４】様々な実施形態に従った、異なるアグリゲーションレベルの複数のＥＰＤＣＣＨ候補に含まれる複数のＥＣＣＥを決定するためのＥＰＤＣＣＨ候補決定スキームを例示する図である。
【０００９】
【図５】様々な実施形態に従った、進化型ノードＢ（ｅＮＢ）によって実行されてよいＵＥ特定探索空間を構成するための方法を例示するフローチャートである。
【００１０】
【図６】様々な実施形態に従った、ユーザ機器によって実行されてよいＥＰＤＣＣＨの受信を促進するための方法を例示するフローチャートである。
【００１１】
【図７】様々な実施形態に従った一例のコンピューティングシステムを例示するブロック図である。
【発明を実施するための形態】
【００１２】
本開示の例示の複数の実施形態は、限定されるものではないが、無線通信ネットワークにおける複数の拡張物理下りリンク制御チャネルをマッピングするための方法、システム、および装置を含む。
【００１３】
例示の複数の実施形態の様々な態様は、他の当業者に研究の要旨を伝達するために、当業者によって通常採用される複数の用語を用いることで説明されるであろう。しかし、代替的な複数の実施形態が開示された態様のいくつかのみで実現可能であるということは、当業者によって明らかであろう。  説明のために、特定の数、材料および構成が、例示の複数の実施形態を深く理解するために記載される。しかし、代替的な複数の実施形態が具体的詳細なしに実現可能であるということは当業者にとって明らかであろう。他の例において、周知の機能が、例示の複数の実施形態を曖昧にしないようにするために省略または簡略化される。
【００１４】
さらに、様々な動作が、例示の複数の実施形態を理解するのに最も役に立つやり方で順に、複数の別個の動作として記載されている。しかし、記載された順序は、これらの動作が必ずしも順序に依存していることを暗示するように解釈されるべきでない。具体的に、これらの動作は、提示の順序で実行されなくてもよい。
【００１５】
「いくつかの実施形態では」という用語は、繰り返して用いられる。文言は、概して、同じ実施形態に示されていない。しかし、示されるかもしれない。文脈上、そうでないとする明確な指示がない限り、「備える」、「有する」、「含む」という用語は、同義語である。「Ａおよび／またはＢ」という文言は、（Ａ）、（Ｂ）、または（ＡおよびＢ）を意味する。「Ａ／Ｂ」という文言は、「Ａおよび／またはＢ」という文言と同様に、Ａ）、（Ｂ）、または（ＡおよびＢ）を意味する。「Ａ、ＢおよびＣの少なくとも１つの」という文言は、（Ａ）、（Ｂ）、（Ｃ）、（ＡおよびＢ）、（ＡおよびＣ）、（ＢおよびＣ）または（Ａ、ＢおよびＣ）を意味する。「（Ａ）Ｂ」という用語は、（Ｂ）または（ＡおよびＢ）を意味する。つまり、Ａはオプションである。
【００１６】
具体的な複数の実施形態が、本明細書で例示され開示されるが、多種多様な代替および／または同等の実施例が、本開示の実施形態の範囲から逸脱しないで、示され説明される具体的な複数の実施形態に対して置き換えられてよいことが当業者によって理解されよう。本願は、本明細書で開示される複数の実施形態のいかなる改変または変形を包含することを意図している。よって、本開示の複数の実施形態は、請求項およびそれらの等価物によりのみ制限されることを明確に意図されている。
【００１７】
本明細書中で用いられる「モジュール」という用語は、特定用途向け集積回路（ＡＳＩＣ）、電子回路、プロセッサ（共有、専用、またはグループ）、および／またはソフトウェアまたはファームウェアプログラムを実行する１または複数のメモリ（共有、専用、またはグループ）、組み合わせの論理回路、および／または記載された機能を提供する他の適したコンポーネントの一部、または含むように示されてよい。
【００１８】
図１は、様々な実施形態に従った無線通信ネットワーク１００を模式的に示す。無線通信ネットワーク１００（以下、「ネットワーク１００」）は、進化型ユニバーサルモバイル電気通信システム（ＵＭＴＳ）地上無線アクセスネットワーク（Ｅ−ＵＴＲＡＮ）などの第３世代パートナーシッププロジェクト（３ＧＰＰ）ロングタームエボリューション（ＬＴＥ）ネットワークのアクセスネットワークでよい。ネットワーク１００は、ユーザ機器（ＵＥ）１０８と無線で通信するよう構成された進化型ノードＢ（ｅＮＢ）１０４などの基地局を含んでよい。ネットワーク１００は、さらに、ｅＮＢ１０４と無線で通信するＵＥ１１２および１１６などの１または複数の追加のＵＥを含んでよい。
【００１９】
ＵＥ１０８は、互いに連結された通信モジュール１２０および復号モジュール１２４を含んでよい。通信モジュール１２０は、ネットワーク１００を介してｅＮＢ１０４と通信（例えば、送信および／または受信）してよい。復号モジュール１２４は、さらに後述のように、通信モジュール１２０によって受信される制御チャネルを復号してよい。
【００２０】
通信モジュール１２０は、さらに、ネットワーク１００を介した通信を促進するために１または複数のアンテナ１２８に連結されてよい。ＵＥ１０８は、任意の適した数のアンテナ１２８を含んでよい。様々な実施形態において、ＵＥ１０８は、ｅＮＢ１０４からＵＥ１０８によって受信される同時空間レイヤまたはストリームの数と少なくとも同数のアンテナ１２８を含んでよい。しかし、本開示の範囲は、この点に関して制限されなくてよい。
【００２１】
アンテナ１２８のうちの１または複数は、送信または受信アンテナとして交互に用いられてよい。代替的、または更に、アンテナ１２８のうちの１または複数は、専用受信アンテナまたは専用送信アンテナでよい。
【００２２】
明示的に不図示であるが、ＵＥ１１２および１１６は、ＵＥ１０４のそれらと同様のモジュール／コンポーネントを含んでよい。
【００２３】
ｅＮＢ１０４は、互いに連結された通信モジュール１３２および制御モジュール１３６を含んでよい。通信モジュール１３２は、ｅＮＢ１０４の１または複数のアンテナ１４０とさらに連結されてよい。通信モジュール１３２は、ネットワーク１００を介して１または複数のＵＥ（例えば、ＵＥ１０８、１１２、および／または１１６）と通信（例えば、送信および／または受信）してよい。様々な実施形態において、ｅＮＢ１０４は、ＵＥ１０８に送信される同時送信ストリームの数と少なくとも同数のアンテナ１４０を含んでよい。しかし、本開示の範囲は、この点に関して制限されなくてよい。アンテナ１４０のうちの１または複数は、送信または受信アンテナとして交互に用いられてよい。代替的に、または更に、アンテナ１４０のうちの１または複数は、専用受信アンテナまたは専用送信アンテナでよい。
【００２４】
様々な実施形態において、制御モジュール１３６は、ＵＥ１０８に送信するための拡張物理下りリンク制御チャネル（ＥＰＤＣＣＨ）を生成してよい。ＥＰＤＣＣＨは、ＵＥ１０８に対する下りリンク制御情報（ＤＣＩ）を含んでよい。ＤＣＩは、例えば、物理下りリンク共有チャネル（ＰＤＳＣＨ）に対する複数の下りリンクリソースのスケジューリング、物理上りリンク共有チャネル（ＰＵＳＣＨ）に対する複数の上りリンクリソースに対するスケジューリング、および／またはＰＵＳＣＨおよび／または物理上りリンク制御チャネル（ＰＵＣＣＨ）に対する複数の送信電力制御コマンドに関連する情報を含んでよい。
【００２５】
様々な実施形態において、制御モジュール１３６は、複数の物理リソースブロック（ＰＲＢ）ペアを含むＥＰＤＣＣＨ−物理リソースブロック（ＥＰＤＣＣＨ−ＰＲＢ）セットを、ＵＥ１０８に対して設定してよい。複数のＰＲＢのペアは、複数の拡張制御チャネルエレメント（ＥＣＣＥ）を含んでよく、複数のＥＣＣＥは、複数の拡張リソースエレメントグループ（ＥＲＥＧ）を含んでよい。制御モジュール１３６は、次に、ＥＰＤＣＣＨ−ＰＲＢセットからＵＥに対して複数のＥＰＤＣＣＨ候補のセットを決定してよい。複数のＥＰＤＣＣＨ候補は、ＵＥがＵＥ１０８に対するＥＰＤＣＣＨについて監視するＥＰＤＣＣＨ−ＰＲＢセットの１または複数のＥＣＣＥに対応してよい。
【００２６】
複数のＰＲＢのペアの複数のＥＲＥＧは、同じＰＲＢのペアの複数のＥＲＥＧを有する複数の局在のＥＣＣＥおよび複数のＰＲＢのペアの間に分散される複数のＥＲＥＧを有する複数の分散型のＥＣＣＥに編成されてよい。例えば、複数の分散型のＥＣＣＥは、ＥＰＤＣＣＨ−ＰＲＢセットの各ＰＲＢのペアから１または複数のＥＲＥＧを含んでよい。
【００２７】
図２は、いくつかの実施形態に従ったＥＰＤＣＣＨ−ＰＲＢセット２００を示す。ＥＰＤＣＣＨ−ＰＲＢセット２００は、４個のＰＲＢのペア（例えば、ＰＲＢａ、ＰＲＢｂ、ＰＲＢｃおよびＰＲＢｄ）を含む。他の実施形態は、他の数のＰＲＢのペアを含んでよい。いくつかの実施形態では、ＥＰＤＣＣＨ−ＰＲＢセット２００のＰＲＢは、周波数の領域で区別されてよい。例えば、ＥＰＤＣＣＨ−ＰＲＢセット２００のＰＲＢは、無線ネットワーク（例えば、無線ネットワーク１００）によって用いられる周波数スペクトルの制御領域で分散されてよい。
【００２８】
ＥＰＤＣＣＨ−ＰＲＢセット２００のＰＲＢのペア（例えば、ＰＲＢａ、ＰＲＢｂ、ＰＲＢｃおよびＰＲＢｄ）のそれぞれは、複数のＥＲＥＧ（例えば、ＥＲＥＧ０、ＥＲＥＧ１、…ＥＲＥＧ１５を含む１６個のＥＲＥＧ）を含んでよい。ＥＲＥＧは、同じＰＲＢのペアからの複数のＥＲＥＧを有する複数の局在のＥＣＣＥに編成されてよい。いくつかの実施形態では、複数の局在のＥＣＣＥは、同じ周波数の複数のＥＲＥＧを含んでよい。例えば、複数のＰＲＢのペアのそれぞれは、４個の局在のＥＣＣＥ（例えば、ＬＥＣＣＥ０、ＬＥＣＣＥ１、ＬＥＣＣＥ２およびＬＥＣＣＥ３）を含んでよい。ＬＥＣＣＥ０は、すべて同じ周波数を有してよく、時間領域で異なってよいＥＲＥＧ０、ＥＲＥＧ４、ＥＲＥＧ８、ＥＲＥＧ１２を含んでよい。様々な実施形態において、ＥＰＤＣＣＨ−ＰＲＢセットの複数の局在のＥＣＣＥの数ｎは、０からｎ−１まで（例えば、ＥＰＤＣＣＨ−ＰＲＢセット２００に対してＬＥＣＣＥ０からＬＥＣＣＥ１５まで）でインデックス付けされてよい。
【００２９】
様々な実施形態において、ＥＰＤＣＣＨ−ＰＲＢセット２００の複数のＥＲＥＧは、さらに、異なるＰＲＢのペアからの複数のＥＲＥＧを有する複数の分散型のＥＣＣＥに編成されてよい。例えば、いくつかの実施形態では、ＥＰＤＣＣＨ−ＰＲＢセット２００は、同じインデックス（例えば、ＰＲＢａ、ＰＲＢｂ、ＰＲＢｃおよびＰＲＢｄのＥＲＥＧ０）をもつ複数のＰＲＢのペアの複数のＥＲＥＧを含む複数の分散型のＥＣＣＥのそれぞれで１６個の分散型のＥＣＣＥを含んでよい。複数の分散型のＥＣＣＥは、０からｎ−１まで（例えば、ＥＰＤＣＣＨ−ＰＲＢセット２００に対してＤＥＣＣＥ０からＤＥＣＣＥ１５まで）インデックス付けされてよい。いくつかの実施形態では、複数の分散型のＥＣＣＥの複数のインデックスが、複数の局在のＥＣＣＥの次のセットへ進む前に、複数の局在のＥＣＣＥの同じセット内で、最初に増加してよい。
【００３０】
例えば、図３は、複数の分散型のＥＣＣＥに複数のＥＲＥＧをマッピングすることを示すＥＰＤＣＣＨ−ＰＲＢセット３００を示す。ＥＰＤＣＣＨ−ＰＲＢセット３００は、図２のＥＰＤＣＣＨ−ＰＲＢセット２００に対応し、複数のＰＲＢのペアＰＲＢａ、ＰＲＢｂ、ＰＲＢｃおよびＰＲＢｄを含んでよい。複数のＰＲＢのペアは、複数のＥＲＥＧのグループのそれぞれを含む複数の局在のＥＣＣＥを含んでよい。複数の局在のＥＣＣＥは、それぞれのＰＲＢのペア（例えば、ＬＥＣＣＥ０、ＬＥＣＣＥ１、ＬＥＣＣＥ２、およびＬＥＣＣＥ３）内の複数の内部インデックスを含んでよい。
【００３１】
様々な実施形態において、複数の分散型のＥＣＣＥのそれぞれは、複数のＰＲＢのペアから複数のＥＲＥＧを含んでよい。例えば、複数の分散型のＥＣＣＥは、ＥＰＤＣＣＨ−ＰＲＢセット３００の複数のＰＲＢのペアのそれぞれから１つのＥＲＥＧを含んでよい。いくつかの実施形態では、分散型のＥＣＣＥのそれぞれが、異なるＰＲＢのペアの同じ局在のＥＣＣＥ（例えば、ＥＣＣＥ０）から複数のＥＲＥＧを含んでよい。いくつかの実施形態では、同じ分散型のＥＣＣＥの複数のＥＲＥＧは、複数のＰＲＢのペアのそれぞれから異なるインデックスのＥＲＥＧを含んでよい。例えば、図３に示されるように、ＤＥＣＣＥ０は、ＰＲＢａからのＥＲＥＧ０、ＰＲＢｂからのＥＲＥＧ４、ＰＲＢｃからのＥＲＥＧ８、およびＰＲＢｄからのＥＲＥＧ１２を含んでよい。更に、ＤＥＣＣＥ１は、ＰＲＢａからのＥＲＥＧ４、ＰＲＢｂからのＥＲＥＧ８、ＰＲＢｃからのＥＲＥＧ１２、およびＰＲＢｄからのＥＲＥＧ０を含んでよい。ＤＥＣＣＥ４は、ＰＲＢａからのＥＲＥＧ１、ＰＲＢｂからのＥＲＥＧ５、ＰＲＢｃからのＥＲＥＧ９およびＰＲＢｄからのＥＲＥＧ１３を含んでよい。
【００３２】
様々な実施形態において、制御モジュール１３６は、ＥＰＤＣＣＨ−ＰＲＢセットからの複数のＥＰＤＣＣＨ候補のセットを決定してよい。ＥＰＤＣＣＨ候補は、ＥＰＤＣＣＨ−ＰＲＢセットの１または複数のＥＣＣＥに対応してよい。複数のＥＰＤＣＣＨ候補のセットは、複数のブラインド復号化候補と呼んでもよいし、ＵＥ１０８のＵＥ特定探索空間を定義してよい。制御モジュール１３６は、通信モジュール１３２を介して、複数のＥＰＤＣＣＨ候補の１つで、ＵＥ１０８に対するＥＰＤＣＣＨを送信してよい。ＵＥ１０８の復号モジュール１２４は、複数のＥＰＤＣＣＨ候補を監視してよく、複数のＥＰＤＣＣＨ候補のすべてで受信される複数のＥＰＤＣＣＨを復号して、ＵＥ１０８に対して指定されたＥＰＤＣＣＨを見つけてよい。ＵＥ１０８は、ＵＥ特定のスクランブリングコードを用いることでＵＥ１０８に対して指定されたＰＤＣＣＨを成功裏に復号してよい。
【００３３】
様々な実施形態において、制御モジュール１３６は、複数の局在のＥＰＤＣＣＨ候補を示すために用いられる局在のＥＰＤＣＣＨ−ＰＲＢセット、または複数の分散型のＥＰＤＣＣＨ候補を示すために用いられる分散型のＥＰＤＣＣＨ−ＰＲＢセットのいずれかとして、ＵＥに対してＥＰＤＣＣＨ−ＰＲＢセットを設定してよい。いくつかの実施形態では、制御モジュール１３６は、ＵＥ１０８に対して複数のＥＰＤＣＣＨ−ＰＲＢセットを設定してよい。複数のＥＰＤＣＣＨ−ＰＲＢセットは、（すべて同じＰＲＢのペアを含んで）完全に重複し、（いくつかの同じＰＲＢのペアを含んで）部分的に重複し、または（すべて異なるＰＲＢのペアを含んで）重複していなくてよい。ＵＥ１０８に対する複数のＥＰＤＣＣＨ−ＰＲＢセットは、すべて局在、すべて分散、または局在および分散の組み合わせのＥＰＤＣＣＨ−ＰＲＢセットでよい。
【００３４】
更に、いくつかの実施形態では、制御モジュール１３６は、ＵＥ１０８に対するＥＰＤＣＣＨ−ＰＲＢセットとして、同じ複数のＰＲＢのペアのうちの１または複数を含んでよい他のＵＥ（ＵＥ１１２またはＵＥ１１６）に対する複数のＥＰＤＣＣＨ−ＰＲＢセットを設定してよい。いくつかの実施形態では、同じ複数のＰＲＢのペアを含む複数のＥＰＤＣＣＨ−ＰＲＢセットは、局在および分散の組み合わせのＥＰＤＣＣＨ−ＰＲＢセットでよい。
【００３５】
様々な実施形態において、複数のＥＰＤＣＣＨ候補は、ＥＰＤＣＣＨ候補内の複数のＥＣＣＥの数（例えば、ＥＰＤＣＣＨ候補を介してＥＰＤＣＣＨを送信するために用いられる複数のＥＣＣＥの数）に対応するアグリゲーションレベルを有してよい。例えば、アグリゲーションレベルは、１、２、４、８または他の適切な値でよい。制御モジュール１３６は、ＥＰＤＣＣＨ送信に対して選択されたＥＰＤＣＣＨ候補内のすべてのＥＣＣＥでＵＥ１０８に対してＥＰＤＣＣＨを送信してよい。アグリゲーションレベルが２または２より大きい局在のＥＰＤＣＣＨ候補に対して、局在のＥＰＤＣＣＨ候補は、同じＰＲＢのペアのさらなる局在のＥＣＣＥが利用可能でない時まで、同じＰＲＢのペアの複数の局在のＥＣＣＥをまず含んでよく、次に、他のＰＲＢのペアの複数の局在のＥＣＣＥを含んでよい。アグリゲーションレベルが２または２より大きい分散型のＥＰＤＣＣＨ候補に対して、分散型のＥＰＤＣＣＨは、複数の局在のＥＣＣＥの同じセットからのさらなる分散型のＥＣＣＥが利用可能でない時まで複数の局在のＥＣＣＥの同じセットから分散型のＥＣＣＥをまず含んでよく、複数の局在のＥＣＣＥの異なるセットから複数の分散型のＥＣＣＥを含んでよい。
【００３６】
様々な実施形態において、制御モジュール１３６により決定される複数のＥＰＤＣＣＨ候補のセットは、複数のＥＰＤＣＣＨ候補の任意の適した数を含んでよい。いくつかの実施形態では、制御モジュール１３６によりＵＥ１０８に対して決定された複数のＥＰＤＣＣＨ候補の数は、複数のＥＰＤＣＣＨ候補のアグリゲーションレベルおよび／または他の要因に依存してよい。例えば、さらに以下で記載するように、複数のＥＰＤＣＣＨ−ＰＲＢセットが同じＵＥ（例えば、ＵＥ１０８）に対して設定される複数の実施形態において、複数のＥＰＤＣＣＨ−ＰＲＢセットのそれぞれに対して決定される複数のＥＰＤＣＣＨ候補の数は、個別のＥＰＤＣＣＨ−ＰＲＢセットのそれぞれ内の複数のＰＲＢのペアの数に比例してよい。
【００３７】
様々な実施形態において、局在のＥＰＤＣＣＨ−ＰＲＢセットに対して、制御モジュール１３６は、ＥＰＤＣＣＨ−ＰＲＢセットの複数のＰＲＢのペアの間に複数の局在のＥＰＤＣＣＨ候補を分散させてよい。異なる局在のＥＰＤＣＣＨ候補は、（例えば、複数のＥＰＤＣＣＨ候補のセットが、複数のＰＲＢのペアのそれぞれ内のＥＣＣＥを含んでいる時まで）異なるＰＲＢのペアの複数のＥＣＣＥをまず含んでよく、次に、同じＰＲＢのペアの複数のＥＣＣＥを含んでよい。例えば、複数の局在のＥＰＤＣＣＨ候補のセットは、ＥＰＤＣＣＨ−ＰＲＢセット内の複数のＰＲＢのペアと等しいまたは上回る数の複数の局在のＥＰＤＣＣＨ候補の数を含んでいる場合、複数の局在のＥＰＤＣＣＨ候補は、ＥＰＤＣＣＨ−ＰＲＢセットの複数のＰＲＢのペアのそれぞれから少なくとも１つの局在のＥＣＣＥを含んでよい。ＥＰＤＣＣＨ−ＰＲＢセット内の複数の局在のＥＰＤＣＣＨ候補の数が、複数のＰＲＢのペアの数より少ない場合、複数の局在のＥＰＤＣＣＨ候補は、異なるＰＲＢのペアから複数の局在のＥＣＣＥを含んでよい。
【００３８】
複数のＰＲＢのペアを介した複数の局在のＥＰＤＣＣＨ候補の分散は、広範囲の周波数を介した複数の局在のＥＰＤＣＣＨ候補を提供して、ｅＮＢ１０４が周波数の領域のスケジューリング利得の活用を得ることを可能にする。例えば、ＵＥ１０８は、ＥＰＤＣＣＨ−ＰＲＢセットの複数のＰＲＢのペアに関連するフィードバック情報（例えば、チャネル状態情報（ＣＳＩ））をｅＮＢ１０４に提供してよい。ｅＮＢ１０８は、フィードバック情報を用いて、ＵＥ１０８に対するＥＰＤＣＣＨを送信するためにどのＥＰＤＣＣＨ候補を選択するかを決定してよい。
【００３９】
複数のＥＰＤＣＣＨ候補を決定するための従前の手法は、連続的なインデックス（例えば、ＥＣＣＥ８からＥＣＣＥ１３を含む６個のＥＰＤＣＣＨ候補のセット）で複数のＥＰＤＣＣＨ候補のセットを選択するものだった。  ＥＰＤＣＣＨ−ＰＲＢセット２００について言及すると、そのような複数のＥＰＤＣＣＨ候補のセットは、ＥＰＤＣＣＨ候補なしで２つのＰＲＢのペア（例えば、ＰＲＢａおよびＰＲＢｂ）を残しておくものだった。これは、ＵＥ１０８に対してＥＰＤＣＣＨを送信するためにそれらのＰＲＢのペアの周波数を用いるオプションをｅＮＢ１０４に与えないものであった。
【００４０】
更に、または代替的に、様々な実施形態において、分散型のＥＰＤＣＣＨ−ＰＲＢセットに対して、制御モジュール１３６は、ＥＰＤＣＣＨ−ＰＲＢセットの複数の局在のＥＣＣＥの間で複数の分散型のＥＰＤＣＣＨ候補を分散させてよい。複数の分散型のＥＰＤＣＣＨ候補のセットの異なる分散型のＥＰＤＣＣＨ候補は、（例えば、複数の分散型のＥＰＤＣＣＨ候補のセットが各局在のＥＣＣＥの少なくとも１つのＥＲＥＧを含む時まで）複数のＰＲＢのペアの異なる局在のＥＣＣＥの複数のＥＲＥＧを含む複数の分散型のＥＣＣＥに、まずマッピングされてよく、次に、他の分散型のＥＰＤＣＣＨ候補と同じ局在のＥＣＣＥの複数のＥＲＥＧを含む複数の分散型のＥＣＣＥにマッピングされてよい。
【００４１】
例えば、複数の分散型のＥＰＤＣＣＨ候補のセット内の複数の分散型のＥＰＤＣＣＨ候補の数が、ＥＰＤＣＣＨ−ＰＲＢセット内の複数のＰＲＢのペアの数に等しい、またはそれよりも大きい場合、複数の分散型のＥＰＤＣＣＨ候補のセットは、ＥＰＤＣＣＨ−ＰＲＢセットの複数の局在のＥＣＣＥのそれぞれからの少なくとも１つのＥＲＥＧを含んでよい。ＥＰＤＣＣＨ−ＰＲＢセット内の複数の分散型のＥＰＤＣＣＨ候補の数が、複数のＰＲＢのペアの数により少ない場合、複数の分散型のＥＰＤＣＣＨ候補は、異なる局在のＥＣＣＥからのＥＲＥＧに関連する複数の分散型のＥＣＣＥを含んでよい。
【００４２】
複数の局在のＥＣＣＥを介した複数の分散型のＥＰＤＣＣＨ候補の分散は、具体的には、局在および分散型のＥＰＤＣＣＨ−ＰＲＢセットが同じＰＲＢのペアに対して設定されてよいという状況において、複数のＰＲＢのペアの複数のＲＥＧの効率のよい使用を促進できる。例えば、複数の分散型のＥＰＤＣＣＨ候補の分散は、連続的なインデックスを用いた複数の分散型のＥＣＣＥに対応する複数の分散型のＥＰＤＣＣＨ候補のセットを用いることに比較される複数の分散型のＥＰＤＣＣＨ候補により、複数の局在のＥＰＤＣＣＨ候補がブロックされることを低減できる。
【００４３】
図４は、いくつかの実施形態に従って、１つの局在のＥＰＤＣＣＨセット内、および／または１つの分散型のＥＰＤＣＣＨセット内のアグリゲーションレベル１、２、４および８に対する複数のＥＰＤＣＣＨ候補の一例のセットを示す表４００を示す。  アグリゲーションレベル１および２に対する複数のＥＰＤＣＣＨ候補のセットは、６個のＥＰＤＣＣＨ候補を含んでよく、さらに、アグリゲーションレベル４および８に対する複数のＥＰＤＣＣＨ候補のセットが２つのＥＰＤＣＣＨ候補を含んでよい。他の実施形態は、それぞれのアグリゲーションレベルに対する複数のＥＰＤＣＣＨ候補の他の適した数を含んでよい。
【００４４】
様々な実施形態において、表４００で示される複数のＥＣＣＥインデックスは、図２に示す複数の局在のＥＣＣＥまたは図３に示す複数の分散型のＥＣＣＥに対応してよい。いくつかの実施形態では、表４００は、複数の局在のＥＣＣＥおよび複数の分散型のＥＣＣＥの両方のために用いられてよい。図２および３を参照して、表４００は、ＥＰＤＣＣＨ−ＰＲＢセットの複数のＰＲＢのペアの間で分散された複数の局在のＥＰＤＣＣＨ候補を提供してよく、ＥＰＤＣＣＨ−ＰＲＢセットの複数の局在のＥＣＣＥの間で分散された複数の分散型のＥＰＤＣＣＨ候補を提供してよい。
【００４５】
例えば、アグリゲーションレベル１の複数の局在のＥＰＤＣＣＨ候補に対して、インデックス０から３をもつ複数のＥＰＤＣＣＨ候補は、ＥＰＤＣＣＨ−ＰＲＢセット２００の４個のＰＲＢのペアをわたって分散されてよい。インデックス４および５をもつ複数のＥＰＤＣＣＨ候補は、さらに、ＰＲＢａおよびＰＲＢｃ内にそれらを配置することにより周波数スペクトルにわたって分散されてよい。アグリゲーションレベル１の複数の分散型のＥＰＤＣＣＨ候補に対して、インデックス０から３をもつ複数の分散型のＥＰＤＣＣＨ候補は、ＥＰＤＣＣＨ−ＰＲＢセット２００の複数の局在のＥＣＣＥのすべてからのＥＲＥＧを合わせて含んでよい。
【００４６】
いくつかの実施形態では、制御モジュール１３６は、探索空間方程式に基づいて、複数の局在および／または分散型のＥＰＤＣＣＨ候補を決定してよい。探索空間方程式は、複数のＥＰＤＣＣＨ候補に含まれる複数のＥＣＣＥインデックスに基づいて複数のＥＰＤＣＣＨ候補を決定してよい。いくつかの実施形態では、同じ探索空間方程式は、複数の局在のＥＰＤＣＣＨ候補および複数の分散型のＥＰＤＣＣＨ候補を決定するために用いられてよい。上述の通り、局在および分散型のＥＰＤＣＣＨ候補の両方に対する複数のＥＣＣＥインデックスの同じセットは、ＥＰＤＣＣＨ−ＰＲＢセットの複数のＰＲＢのペアの間で分散される複数の局在のＥＰＤＣＣＨ候補を提供してよく、ＥＰＤＣＣＨ−ＰＲＢセットの複数の局在のＥＣＣＥの間に分散される複数の分散型のＥＰＤＣＣＨ候補を提供してよい。
【００４７】
一例において、複数の分散型のＥＰＤＣＣＨ候補のセットのＥＰＤＣＣＨ候補ｍに対応する複数のＥＣＣＥのセットは、探索空間方程式により、以下のように与えられる。
【数１】
0005973666.tif 000002
ここで、ｐは、複数のＥＰＤＣＣＨ候補のセットの識別子である。ＹＰ，ｋは、ＥＰＤＣＣＨ候補のセットに対する開始候補インデックスである。Ｌは、複数のＥＰＤＣＣＨ候補の１つで送信されるＥＰＤＣＣＨのアグリゲーションレベルである。ＭＰ（Ｌ）は、複数のＥＰＤＣＣＨ候補のセット内のＥＰＤＣＣＨ候補の数である。ｋは、ＵＥに関連するサブフレームである。ＮＥＣＣＥ,Ｐ, ｋは、無線通信ネットワークにおけるサブフレームｋの制御領域内のＣＣＥの総数である。ｉ＝０，...，Ｌ−１、ｍ＝０，１，...，ＭＰ（Ｌ）−１。また。ｂは、複数のＥＰＤＣＣＨ候補のセットに関連するサービングセルに対するキャリアインジケータフィールド値、または（例えば、キャリアインジケータフィールドがＵＥに対して設定されない場合）０に等しい。
【００４８】
様々な実施形態において、複数のＥＰＤＣＣＨ候補のセットは、開始候補インデックス（例えば、Ｙｋ）に基づいて決定されてよい。上述の通り、いくつかの実施形態では、複数のＥＰＤＣＣＨ候補の複数のセットは、ＵＥ１０８に対して決定されてよい。いくつかの実施形態では、異なる開始候補インデックスが、複数のＥＰＤＣＣＨ候補の異なるセットを決定するために用いられてよい。つまり、開始候補インデックスは、ＥＰＤＣＣＨ候補に固有のものでよい。例えば、いくつかの実施形態では、複数のＥＰＤＣＣＨ候補の異なるセットに対する複数の開始候補インデックスは、複数の異なる乱数を用いることで独立して決定してよい。他の実施形態において、複数の開始候補インデックスは、予め定められたオフセットによって、区別されてよい。同じＵＥ（例えばＵＥ１０８）に対する複数のＥＰＤＣＣＨ候補の異なるセットを決定するために異なる開始候補インデックスを用いることは、複数のＥＰＤＣＣＨ候補の異なるセットの間の周波数の領域において分離を提供してよい。これは、複数のＥＰＤＣＣＨ候補の複数のセットの間で選択するときにｅＮＢ１０４に対してフレキシビリティを提供できる。
【００４９】
更に、または代替的に、いくつかの実施形態では、複数のＥＰＤＣＣＨ−ＰＲＢセットで設定されるＵＥ（例えば、ＵＥ１０８）に対して、別個のＥＰＤＣＣＨ−ＰＲＢセットに対する複数のＥＰＤＣＣＨ候補の数は、ＥＰＤＣＣＨ−ＰＲＢセット内の複数のＰＲＢのペアの数に比例してよい。例えば、ｅＮＢ１０４は、ＵＥ１０８に対して第１および第２のＥＰＤＣＣＨ−ＰＲＢセットを設定してよい。第１のＥＰＤＣＣＨ−ＰＲＢセットは、第１の数のＰＲＢのペアを含んでよく、第２のＥＰＤＣＣＨ−ＰＲＢセットは、第２の数のＰＲＢのペアを含んでよい。様々な実施形態において、複数のＥＰＤＣＣＨ候補の第２のセット内のＥＰＤＣＣＨ候補の数に対する複数のＥＰＤＣＣＨ候補の第１のセット内のＥＰＤＣＣＨ候補の数の割合は、第２の数のＰＲＢのペアに対する第１の数のＰＲＢのペアの割合にほぼ等しくてよい。「ほぼ等しい」に関して、その割合は、等しくてもよいし、あるいは、複数のＰＲＢのペアおよび／またはＥＰＤＣＣＨ候補の全体の数に対する端数処理の理由で、わずかに異なってよいという意味である。複数のＥＰＤＣＣＨ候補の第２のセット内のＥＰＤＣＣＨ候補の数と比較される複数のＥＰＤＣＣＨ候補の第１のセット内のＥＰＤＣＣＨ候補の数の割合は、同じアグリゲーションレベルで測定されてよい。
【００５０】
一例において、第１のＥＰＤＣＣＨ−ＰＲＢセットは、８個のＰＲＢのペアを含んでよく、第２のＥＰＤＣＣＨ−ＰＲＢセットは、４個のＰＲＢのペアを含んでよい。従って、第１のＥＰＤＣＣＨ−ＰＲＢセットに対して複数のＥＰＤＣＣＨ候補の第１のセットは、第２のＥＰＤＣＣＨ−ＰＲＢセットに対して複数のＥＰＤＣＣＨ候補の第２のセットの複数のＥＰＤＣＣＨ候補の２倍を含んでよい。例えば、合計１８個のＥＰＤＣＣＨ候補が決定された場合、複数のＥＰＤＣＣＨ候補の第１のセットは、１２個のＥＰＤＣＣＨ候補を含んでよく、複数のＥＰＤＣＣＨ候補の第２のセットは、６個のＥＰＤＣＣＨ候補を含んでよい。
【００５１】
従って、各ＥＰＤＣＣＨ−ＰＲＢセットに対するＥＰＤＣＣＨ候補の数は、ＥＰＤＣＣＨ−ＰＲＢセット内のＰＲＢのペアの数に基づいて決定されてよい。これは、複数のＥＰＤＣＣＨ−ＰＲＢセットの間の複数のＰＲＢのペアの負荷をバランスするのに役立つ。
【００５２】
図５は、様々な実施形態に従った、ｅＮＢ（例えば、ｅＮＢ１０４）によって実行される方法５００を示す。いくつかの実施形態では、ｅＮＢは、実行された場合に、ｅＮＢに方法５００を実行させるための複数の命令が格納された１または複数のコンピュータ可読媒体へのアクセスを含む、および／または有してよい。
【００５３】
５０４で、方法５００は、ＵＥ（例えば、ＵＥ１０８）に対して、複数のＰＲＢのペアを含むＥＰＤＣＣＨ−ＰＲＢセット（例えば、ＥＰＤＣＣＨ−ＰＲＢセット２００）を設定することを含んでよい。複数のＰＲＢのペアは、同じＰＲＢのペアのＥＲＥＧを有する複数の局在のＥＣＣＥと複数のＰＲＢのペアの間で分散されたＥＲＥＧを有する複数の分散型のＥＣＣＥとに構成された複数のＥＲＥＧを含んでよい。
【００５４】
５０８で、方法５００は、さらに、ＥＰＤＣＣＨ−ＰＲＢセットからのＵＥに対する複数の分散型のＥＰＤＣＣＨ候補のセットを決定することを含んでよい。個々の分散型のＥＰＤＣＣＨ候補は、複数の分散型のＥＣＣＥのうちの１または複数を含んでよい。本明細書中に述べたように、異なる分散型のＥＰＤＣＣＨ候補は、複数のＰＲＢのペアの異なる局在のＥＣＣＥの間に分散されてよい。いくつかの実施形態では、複数の分散型のＥＰＤＣＣＨ候補のセットは、複数の局在のＥＣＣＥのそれぞれから少なくとも１つのＥＲＥＧを含んでよい。
【００５５】
いくつかの実施形態では、方法５００は、さらに、ＵＥまたは他のＵＥに対する複数の局在のＥＰＤＣＣＨ候補のセットを決定することを含んでよい。いくつかの実施形態では、複数の分散型のＥＰＤＣＣＨ候補のセットおよび複数の局在のＥＰＤＣＣＨ候補のセットは、同じ探索空間方程式に基づいて決定されてよい。いくつかの実施形態では、複数の局在のＥＰＤＣＣＨ候補のセットは、ＥＰＤＣＣＨ−ＰＲＢセットの複数のＰＲＢのペアのそれぞれの複数の局在のＥＣＣＥを含んでよい。いくつかの実施形態では、複数の局在のＥＰＤＣＣＨ候補のセットおよび複数の分散型のＥＰＤＣＣＨ候補のセットは、異なる開始候補インデックスを用いることにより決定されてよい。
【００５６】
５１２で、方法５００は、さらに、複数のＥＰＤＣＣＨ候補の１つで、ＵＥに対するＤＣＩを含むＥＰＤＣＣＨを送信することを含んでよい。
【００５７】
図６は、様々な実施形態に従った、ＵＥ（例えば、ＵＥ１０８）によって実行される方法６００を示す。いくつかの実施形態では、ＵＥは、実行される場合に、ＵＥに方法６００を実行させる格納された複数の命令を有する１または複数のコンピュータ可読媒体へのアクセスを含む、および／または有してよい。
【００５８】
６０４で、方法６００は、ＥＰＤＣＣＨ−ＰＲＢセットに対して、ｅＮＢ（例えば、ｅＮＢ１０４）からの複数の設定パラメータを受信することを含んでよい。ＥＰＤＣＣＨ−ＰＲＢセットは、複数のＰＲＢのペアを含んでよく、複数のＰＲＢのペアは、１より多くのＰＲＢのペアの複数のＥＲＥＧを有する複数の分散型のＥＣＣＥを含んでよい。
【００５９】
６０８で、方法６００は、ｅＮＢからの複数の分散型のＥＰＤＣＣＨ候補のセットを受信することを含んでよい。個々の分散型のＥＰＤＣＣＨ候補は、ＥＰＤＣＣＨ−ＰＲＢセットの複数の分散型のＥＣＣＥのうちの１または複数を含んでよい。本明細書中に述べたように、異なる分散型のＥＰＤＣＣＨ候補は、複数のＰＲＢのペアの異なる局在のＥＣＣＥの間に分散されてよい。いくつかの実施形態では、複数の分散型のＥＰＤＣＣＨ候補のセットは、複数のＰＲＢのペアの複数の局在のＥＣＣＥのそれぞれから少なくとも１つのＥＲＥＧを含んでよい。
【００６０】
６１２で、方法６００は、複数の分散型のＥＰＤＣＣＨ候補で、ＵＥにより受信される複数のＥＰＤＣＣＨを復号して、ＵＥに対して示されるＥＰＤＣＣＨを識別することを含んでよい。
【００６１】
いくつかの実施形態では、ＵＥは、さらに、他のＥＰＤＣＣＨ−ＰＲＢセットに対する複数の設定パラメータを受信してよい。ＵＥは、また、他のＥＰＤＣＣＨ−ＰＲＢセットの１または複数の分散または局在のＥＣＣＥの複数のグループに対応する複数のＥＰＤＣＣＨ候補の他のセットを受信してよい。いくつかの実施形態では、第２のＥＰＤＣＣＨ−ＰＲＢセットは、第１のＥＰＤＣＣＨ−ＰＲＢセットと少なくとも部分的に重複してよい（例えば、複数の同じＰＲＢのペアのうちの１または複数を含んでよい）。
【００６２】
本明細書で記載されるｅＮＢ１０４および／またはＵＥ１０８は、所望のように構成される任意の適切なハードウェアおよび／またはソフトウェアを用いることで、システムに実装されてよい。図７は、一実施形態について、１または複数のプロセッサ７０４、少なくとも１つのプロセッサ７０４に連結されたシステム制御論理７０８、システム制御論理７０８に連結されたシステムメモリ７１２、システム制御論理７０８に連結された不揮発性メモリ（ＮＶＭ）／ストレージ７１６、システム制御論理７０８に連結されたネットワークインターフェース７２０、システム制御論理７０８に連結された入出力（Ｉ／Ｏ）デバイス７３２を備える、例となるシステム７００を示す。
【００６３】
プロセッサ７０４は、１または複数の単一コアマルチコアプロセッサを含んでよい。プロセッサ７０４は、一般的な汎用プロセッサおよび専用プロセッサ（例えば、グラフィックスプロセッサ、アプリケーションプロセッサ、ベースバンドプロセッサなど）の任意の組み合わせを含んでよい。
【００６４】
システム制御論理７０８は、一実施形態について、少なくとも１つのプロセッサ７０４および／またはシステム制御論理７０８と通信する任意の適切なデバイスまたはコンポーネントに任意の適切なインターフェースを提供する任意の適切なインターフェースコントローラを含んでよい。
【００６５】
一実施形態についてのシステム制御論理７０８は、システムメモリ７１２にインターフェースを提供する１または複数のメモリコントローラを含んでよい。システムメモリ７１２は、例えば、システム７００に対するデータおよび／または命令を読み込みまたは格納するために用いられてよい。一実施形態についてのシステムメモリ７１２は、例えば、適切なダイナミックランダムアクセスメモリ（ＤＲＡＭ）などの任意の適切な揮発性メモリを含んでよい。
【００６６】
ＮＶＭ／ストレージ７１６は、例えば、命令および／またはデータを格納するために用いられる１または複数の有形の持続性コンピュータ可読媒体を含んでよい。ＮＶＭ／ストレージ７１６は、例えば、フラッシュメモリなどの任意の適切な不揮発性メモリを含んでよく、および／または、例えば、１または複数のハードディスクドライブ（ＨＤＤ）、１または複数のコンパクトディスク（ＣＤ）ドライブ、および／または、１または複数のデジタル多用途ディスク（ＤＶＤ）ドライブなどの任意の不揮発性記憶デバイスを含んでよい。
【００６７】
ＮＶＭ／ストレージ７１６は、システム７００がインストールされた、またはアクセス可能であるデバイスの物理的部分であるストレージリソースを含んでよいが、デバイスの必ずしも一部ではない。例えば、ＮＶＭ／ストレージ７１６は、ネットワークインターフェース７２０および／または入出力（Ｉ／Ｏ）デバイス７３２を介してネットワークを経由してアクセスされてよい。
【００６８】
ネットワークインターフェース７２０は、１または複数のネットワークを介した、および／または他の適したデバイスと通信するために、システム７００に対する無線インターフェースを提供するトランシーバ７２２を有してよい。トランシーバ７２２は、ＵＥ１０８の通信モジュール１２０またはｅＮＢ１０４の通信モジュール１３２を実装してよい。様々な実施形態において、トランシーバ７２２は、システム７００の他のコンポーネントと一体化されてよい。例えば、トランシーバ７２２は、プロセッサ７０４のうちの１つのプロセッサ、システムメモリ７１２のうちのメモリ、ＮＶＭ／ストレージ７１６のうちのＮＶＭ／ストレージを含んでよい。ネットワークインターフェース７２０は、任意の適切なハードウェアおよび／またはファームウェアを含んでよい。ネットワークインターフェース７２０は、複数の入力、複数の出力無線インターフェースを提供する複数のアンテナを含んでよい。一実施形態についてのネットワークインターフェース７２０は、例えば、有線ネットワークアダプタ無線ネットワークアダプタ、電話モデム、および／または無線モデムを含んでよい。
【００６９】
一実施形態について、少なくとも１つのプロセッサ７０４はｍ、システム制御論理７０８の１または複数のコントローラに対するロジックともにパッケージ化されてよい。一実施形態において、少なくとも１つのプロセッサ７０４は、システムインパッケージ（ＳｉＰ）を形成するシステム制御論理７０８の１または複数のコントローラに対するロジックともにパッケージ化されてよい。一実施形態について、少なくとも１つのプロセッサ７０４は、システム制御論理７０８の１または複数のコントローラについてのロジックと同一のダイ上で一体化されてよい。一実施形態について、少なくとも１つのプロセッサ７０４は、システムオンチップ（ＳｏＣ）を形成するシステム制御論理７０８の１または複数のコントローラについてのロジックと同一のダイ上で一体化されてよい。
【００７０】
様々な実施形態において、Ｉ／Ｏデバイス７３２は、システム７００とユーザインタラクション可能にするように設計されたユーザインタフェース、システム７００と周辺機器コンポーネントインタラクション可能にするように設計された周辺機器コンポーネントインターフェース、および／またはシステム７００に関連する環境条件および／または位置情報を決定するように設計されたセンサを含んでよい。
【００７１】
様々な実施形態において、ユーザインタフェースは、限定されるものではないが、ディスプレイ（例えば、液晶ディスプレイ、タッチスクリーンディスプレイなど）、スピーカ、マイク、１または複数のカメラ（例えば、スチルカメラ、および／またはビデオカメラ）、懐中電灯（例えば、発光ダイオードフラッシュ）、およびキーボードを含むことができる。
【００７２】
様々な実施形態において、周辺機器コンポーネントインターフェースは、限定されるものではないが、不揮発性メモリポート、ユニバーサルシリアルバス（ＵＳＢ）ポート、オーディオジャック、および電源インターフェースを含んでよい。
【００７３】
様々な実施形態において、センサは、限定されるものではないが、ジャイロセンサ、加速度計、近接センサ、環境光センサ、および測位ユニットを含んでよい。測位ユニットは、また、全地球測位システム（ＧＰＳ）衛星などの測位ネットワークのコンポーネントと通信するネットワークインターフェース７２０の一部または、情報をやりとりしてよい。
【００７４】
様々な実施形態において、システム７００は、限定されるものではないが、ラップトップコンピューティングデバイス、タブレットコンピューティングデバイス、ネットブック、スマートフォンなどのモバイルコンピューティングデバイスでよい。様々な実施形態において、システム７００は、コンポーネントの数がより多く、またはより少なく、および／またはアーキテクチャが異なるものでもよい。
［例示］
【００７５】
様々な実施形態は、無線通信ネットワークを介してＵＥと通信する通信モジュール、および通信モジュールに連結された制御モジュールを含む装置を提供する。制御モジュールは、複数のＰＲＢのペアを含むＥＰＤＣＣＨ−ＰＲＢセットをＵＥに対して設定し、ＥＰＤＣＣＨ−ＰＲＢセットの複数のＰＲＢのペアからＵＥに対する複数の分散型のＥＰＤＣＣＨ候補のセットを決定する。ＥＰＤＣＣＨ−ＰＲＢセットは、複数のＰＲＢのペアの中から分散された複数のＥＲＥＧを含む複数の分散型のＥＣＣＥを有する分散型のＥＰＤＣＣＨ−ＰＲＢセットとして設定される。複数の分散型のＥＰＤＣＣＨ候補のそれぞれは、複数の分散型のＥＣＣＥのうちの１または複数を含む。複数の分散型のＥＰＤＣＣＨ候補のセットのうちの異なる複数の分散型のＥＰＤＣＣＨ候補は、複数のＰＲＢのペアの異なる複数の局在のＥＣＣＥの複数のＥＲＥＧを含む複数の分散型のＥＣＣＥにまずマッピングされ、次に他の分散型のＥＰＤＣＣＨ候補と同じ局在のＥＣＣＥの複数のＥＲＥＧを含む分散型のＥＣＣＥにマッピングされる。
【００７６】
いくつかの実施形態では、ＥＰＤＣＣＨ−ＰＲＢセットは、第１のＥＰＤＣＣＨ−ＰＲＢセットである。制御モジュールは、探索空間方程式に基づいて複数の分散型のＥＰＤＣＣＨ候補のセットを決定する。制御モジュールは、さらに、第１のＥＰＤＣＣＨ−ＰＲＢセットの複数のＰＲＢのペアに完全に重複、部分的に重複、全く重複しない複数のＰＲＢのペアを含む第２のＥＰＤＣＣＨ−ＰＲＢセットを、ＵＥまたは他のＵＥに対して設定し、探索空間方程式に基づいて、第２のＥＰＤＣＣＨ−ＰＲＢセットからＵＥまたは他のＵＥに対する局在のＥＰＤＣＣＨ候補のセットを決定する。第２のＥＰＤＣＣＨ−ＰＲＢセットは、同じＰＲＢのペアの複数のＥＲＥＧを有する複数の局在のＥＣＣＥを含む局在のＥＰＤＣＣＨ−ＰＲＢセットとして設定される。いくつかのそのような実施形態では、局在のＥＰＤＣＣＨ候補のセットは、第２のＥＰＤＣＣＨ−ＰＲＢセットの複数のＰＲＢのペアのそれぞれの複数の局在のＥＣＣＥを含む。
【００７７】
いくつかの実施形態では、ＥＰＤＣＣＨ−ＰＲＢセットは、４個のＰＲＢのペアおよび１６個の分散型のＥＣＣＥを含み、複数のＰＲＢのペアのそれぞれは、４つの局在のＥＣＣＥを含む。
【００７８】
いくつかの実施形態では、複数の分散型のＥＰＤＣＣＨ候補のセットは、複数のＥＰＤＣＣＨ候補の第１のセットである。制御モジュールは、ＵＥに対して複数のＥＰＤＣＣＨ候補の第２のセットを決定するようさらに構成される。制御モジュールは、互いに異なる第１および第２の開始候補インデックスのそれぞれに基づいて複数のＥＰＤＣＣＨ候補の第１および第２のセットを決定するよう構成される。いくつかのそのような実施形態では、第１および第２の開始候補インデックスは、予め定められたオフセットにより区別される。
【００７９】
いくつかの実施形態では、制御モジュールは、複数の分散型のＥＰＤＣＣＨ候補の１つでＵＥに対するＤＣＩを含むＥＰＤＣＣＨを送信するようさらに構成される。
【００８０】
いくつかの実施形態では、複数の分散型のＥＰＤＣＣＨ候補のセットのうちＥＰＤＣＣＨ候補ｍに対応する複数のＥＣＣＥのセットは、以下のように与えられる。
【数１】
0005973666.tif 000003
ここで、ｐは、複数のＥＰＤＣＣＨ候補のセットの識別子である。ＹＰ，ｋは、ＥＰＤＣＣＨ候補のセットに対する開始候補インデックスである。Ｌは、複数のＥＰＤＣＣＨ候補の１つで送信されるＥＰＤＣＣＨのアグリゲーションレベルである。ＭＰ（Ｌ）は、複数の分散型のＥＰＤＣＣＨ候補のセット内の複数のＥＰＤＣＣＨ候補の数である。ｋは、ＵＥに関連するサブフレームである。ＮＥＣＣＥ,Ｐ, ｋは、無線通信ネットワークにおけるサブフレームｋの制御領域内のＣＣＥの総数である。ｉ＝０，...，Ｌ−１、ｍ＝０，１，...，ＭＰ（Ｌ）−１およびｂは、複数のＥＰＤＣＣＨ候補のセットに関連するサービングセルに対するキャリアインジケータフィールド値、または０に等しい。
【００８１】
いくつかの実施形態は、ＥＰＤＣＣＨ−ＰＲＢセットは、第１の数のＰＲＢのペアを有する第１のＥＤＰＣＣＨ−ＰＲＢセットであることを提供する。制御モジュールは、さらに、第２の数のＰＲＢのペアを有する第２のＥＰＤＣＣＨ−ＰＲＢセットでＵＥを設定する。第２のＥＰＤＣＣＨ−ＰＲＢセットは、分散型のＥＰＤＣＣＨ−ＰＲＢセットまたは局在のＥＰＤＣＣＨ−ＰＲＢセットである。第１のＥＰＤＣＣＨ−ＰＲＢセットの複数の分散型のＥＰＤＣＣＨ候補のセット内のＥＰＤＣＣＨ候補の数は、第２の数のＰＲＢのペアに対する第１の数のＰＲＢのペアの割合に基づく。
【００８２】
いくつかの実施形態は、上述のような装置を含むｅＮＢを提供し、Ｅｔｈｅｒｎｅｔ（登録商標）接続をさらに含む。
【００８３】
様々な実施形態において、制御チャネルの送信を促進する進化型ノードＢ（ｅＮＢ）に用いられる装置は、無線通信ネットワークを介してＵＥと通信する通信モジュールと、通信モジュールに連結される制御モジュールとを含む。制御モジュールは、複数の局在のＥＣＣＥを有する局在のＥＰＤＣＣＨ−ＰＲＢセット、および複数の分散型のＥＣＣＥを有する分散型のＥＰＤＣＣＨ−ＰＲＢセットを、１または複数のＵＥに対して、設定し、探索空間方程式に基づいて、局在のＥＰＤＣＣＨ候補を決定し、探索空間方程式に基づいて、複数の分散型のＥＰＤＣＣＨ候補のセットを決定する。局在のＥＰＤＣＣＨ候補のそれぞれは、局在のＥＰＤＣＣＨ−ＰＲＢセットの１または複数の局在のＥＣＣＥに対応する。複数のＥＰＤＣＣＨ候補のそれぞれは、分散型のＥＰＤＣＣＨ−ＰＲＢセットの分散型のＥＣＣＥのうちの１または複数に対応する。
【００８４】
いくつかの実施形態では、局在のＥＰＤＣＣＨ候補のセットは、局在のＥＰＤＣＣＨ−ＰＲＢセットの複数のＰＲＢのペアのそれぞれの複数のＥＣＣＥを含む。
【００８５】
いくつかの実施形態では、複数の分散型のＥＰＤＣＣＨ候補のセットの異なる分散型のＥＰＤＣＣＨ候補は、複数のＰＲＢのペアの異なる局在のＥＣＣＥの複数のＥＲＥＧを含む複数の分散型のＥＣＣＥに、まずマッピングされ、次に他の分散型のＥＰＤＣＣＨ候補と同じ局在のＥＣＣＥの複数のＥＲＥＧを含む複数の分散型のＥＣＣＥにマッピングされる。
【００８６】
いくつかの実施形態では、複数の局在のＥＣＣＥは、複数のＰＲＢのペアの第１のセットに関連する。複数の分散型のＥＣＣＥは、複数のＰＲＢのペアの第２のセットに関連する。複数のＰＲＢのペアの第１のセットおよび第２のセットは、１または複数の共通のＰＲＢのペアを含む。
【００８７】
いくつかの実施形態では、複数の分散型のＥＰＤＣＣＨ候補は、複数の分散型のＥＰＤＣＣＨ候補のそれぞれに含まれる複数の分散型のＥＣＣＥの数を示すアグリゲーションレベルを有する。数の分散型のＥＰＤＣＣＨ候補は、２または２より大きいアグリゲーションレベルを有する。複数の分散型のＥＰＤＣＣＨ候補のそれぞれは、複数のＰＲＢのペアの複数の局在のＥＣＣＥの同じセットから複数の分散型のＥＲＥＧに、まずマッピングされ、次に、複数の局在のＥＣＣＥの同じセット内の複数のＥＲＥＧが利用可能でない場合、複数の局在のＥＣＣＥの異なるセットから複数の分散型のＥＲＥＧにマッピングされる。
【００８８】
いくつかの実施形態では、探索空間方程式は、対応する複数のＥＣＣＥに関連する複数のインデックスに基づいて、複数のＥＰＤＣＣＨ候補を決定する。複数の局在のＥＰＤＣＣＨ−ＰＲＢセットの複数の局在のＥＣＣＥの複数のインデックスは、連続的である。複数の分散型のＥＰＤＣＣＨ−ＰＲＢセットの複数の分散型のＥＣＣＥの複数のインデックスは、連続的である。
【００８９】
いくつかの実施形態では、ＥＰＤＣＣＨ−ＰＲＢセットは、４個のＰＲＢのペアを含む。ＰＲＢのペアのそれぞれは、４個のＥＣＣＥを含む。
【００９０】
様々な実施形態において、制御情報を受信することを促進するＵＥによって用いられる装置は、無線通信ネットワークを介してｅＮＢと通信する構成される通信モジュールと、複数のＥＰＤＣＣＨ候補の第１のセットおよび複数のＥＰＤＣＣＨ候補の第２のセットの複数のＥＰＤＣＣＨ候補のうちの１または複数で受信されたＥＰＤＣＣＨを復号するよう構成される復号モジュールとを含む。複数のＥＰＤＣＣＨ候補の第１のセットは、第１の開始候補インデックスに基づいて決定される。複数のＥＰＤＣＣＨ候補の第２のセットは、第１の開始候補インデックスとは異なる第２の開始候補インデックスに基づいて決定される。
【００９１】
いくつかの実施形態では、第１および第２の開始候補インデックスは、予め定められたオフセットによって区別されている。
【００９２】
いくつかの実施形態では、第１のおよび第２の開始候補インデックスは、複数の異なる乱数を用いることにより独立して決定される。
【００９３】
いくつかの実施形態では、第１および第２のセットの複数のＥＰＤＣＣＨ候補は、第１または第２のＥＰＤＣＣＨ−ＰＲＢセットのそれぞれの１または複数の拡張制御チャネルエレメント（ＥＣＣＥ）に対応する。
【００９４】
いくつかの実施形態では、第１のＥＰＤＣＣＨ−ＰＲＢセットは、同じＰＲＢのペアの複数のＥＲＥＧを有する複数の局在のＥＣＣＥを含む局在のＥＰＤＣＣＨ−ＰＲＢセットである。第２のＥＰＤＣＣＨ−ＰＲＢセットは、複数のＰＲＢのペアから複数のＥＲＥＧを有する複数の分散型のＥＣＣＥを含む分散型のＥＰＤＣＣＨ−ＰＲＢセットである。
【００９５】
様々な実施形態は、格納された複数の命令を有する１または複数の持続性コンピュータ可読媒体を提供する。複数の命令が実行される場合、ｅＮＢから第１の数のＰＲＢのペアを含む第１のＥＰＤＣＣＨ−ＰＲＢセットに対する複数の設定パラメータを受信すること、ｅＮＢから、第２の数のＰＲＢのペアを含む第２のＥＰＤＣＣＨ−ＰＲＢセットに対する複数の設定パラメータを受信すること、ｅＮＢから複数のＥＰＤＣＣＨ候補の第１のセットを受信すること、ｅＮＢから複数のＥＰＤＣＣＨ候補の第２のセットを受信することをＵＥに実行させる。複数のＥＰＤＣＣＨ候補のそれぞれは、ＵＥがＥＰＤＣＣＨについて監視する第１のＥＰＤＣＣＨ−ＰＲＢセットの１または複数のＥＣＣＥに対応する。複数のＥＰＤＣＣＨ候補の第２のセットの複数のＥＰＤＣＣＨ候補のそれぞれは、ＵＥがＥＰＤＣＣＨについて監視する第２のＥＰＤＣＣＨ−ＰＲＢセットの１または複数のＥＣＣＥに対応する。複数のＥＰＤＣＣＨ候補の第２のセット内の複数のＥＰＤＣＣＨ候補の数に対する複数のＥＰＤＣＣＨ候補の第１のセット内の複数のＥＰＤＣＣＨ候補の数の割合は、第２の数のＰＲＢのペアに対する第１の数のＰＲＢのペアの割合に、ほぼ等しい。
【００９６】
いくつかの実施形態では、第１および第２のＥＰＤＣＣＨ−ＰＲＢセットは、両方とも複数の分散型のＥＣＣＥを有する複数の分散型のＥＰＤＣＣＨ−ＰＲＢセットとして設定され、または両方とも複数の局在のＥＣＣＥを有する複数の局在のＥＰＤＣＣＨ−ＰＲＢセットとして設定される。
【００９７】
いくつかの実施形態では、第１のＥＰＤＣＣＨ−ＰＲＢセットは、複数の局在のＥＣＣＥを有する局在のＥＰＤＣＣＨ−ＰＲＢセットとして設定され、第２のＥＰＤＣＣＨ−ＰＲＢセットは、複数の分散型のＥＣＣＥを有する分散型のＥＰＤＣＣＨ−ＰＲＢセットとして設定される。
【００９８】
いくつかの実施形態では、第１の数のＰＲＢのペアは、８であり、第２の数のＰＲＢのペアは、４であり、複数のＥＰＤＣＣＨ候補の第１のセット内の複数のＥＰＤＣＣＨ候補の数は、複数のＥＰＤＣＣＨ候補の第２のセット内の複数のＥＰＤＣＣＨ候補の数の２倍である。
【００９９】
様々な実施形態において、ＵＥへの制御チャネルの送信を促進するｅＮＢにより用いられる装置は、複数のＰＲＢのペアを含むＥＰＤＣＣＨ−ＰＲＢをＵＥに対して設定する手段と、ＥＰＤＣＣＨ−ＰＲＢセットの複数のＰＲＢのペアからＵＥに対する複数の分散型のＥＰＤＣＣＨ候補のセットを決定する手段とを備える。ＥＰＤＣＣＨ−ＰＲＢセットは、複数のＰＲＢのペアのうち複数のＥＲＥＧ拡張を含む複数の分散型のＥＣＣＥを有する分散型のＥＰＤＣＣＨ−ＰＲＢセットとして設定される。複数の分散型のＥＰＤＣＣＨ候補のそれぞれは、複数の分散型のＥＣＣＥのうちの１または複数を含む。複数の分散型のＥＰＤＣＣＨ候補のセットの異なる複数の分散型のＥＰＤＣＣＨ候補は、複数のＰＲＢのペアの異なる複数の局在のＥＣＣＥの複数のＥＲＥＧを含む複数の分散型のＥＣＣＥに、最初にマッピングされ、次に、他の分散型のＥＰＤＣＣＨ候補と同じ局在のＥＣＣＥの複数のＥＲＥＧを含む複数の分散型のＥＣＣＥにマッピングされる。
【０１００】
いくつかの実施形態では、ＥＰＤＣＣＨ−ＰＲＢセットは、第１のＥＰＤＣＣＨ−ＰＲＢセットであり、複数の分散型のＥＰＤＣＣＨ候補のセットは、探索空間方程式に基づいて決定される。装置は、さらに、第１のＥＰＤＣＣＨ−ＰＲＢセットの複数のＰＲＢのペアに完全に重複、部分的に重複、または全く重複しない複数のＰＲＢのペアを含む第２のＥＰＤＣＣＨ−ＰＲＢセットを、ＵＥまたは他のＵＥに対して、設定する手段と、探索空間方程式に基づいて、第２のＥＰＤＣＣＨ−ＰＲＢセットから、ＵＥまたは他のＵＥに対する複数の局在のＥＰＤＣＣＨ候補のセットを決定する手段とを備える。第２のＥＰＤＣＣＨ−ＰＲＢセットは、同じＰＲＢのペアの複数のＥＲＥＧを有する複数の局在のＥＣＣＥを含む局在のＥＰＤＣＣＨ−ＰＲＢセットとして設定される。
【０１０１】
いくつかの実施形態では、複数の局在のＥＰＤＣＣＨ候補のセットは、第２のＥＰＤＣＣＨ−ＰＲＢセットの複数のＰＲＢのペアのそれぞれの複数の局在のＥＣＣＥを含む。
【０１０２】
いくつかの実施形態では、ＥＰＤＣＣＨ−ＰＲＢセットは、４個のＰＲＢのペアおよび１６個の分散型のＥＣＣＥを含む。ＰＲＢのペアのそれぞれは、４個の局在のＥＣＣＥを含む。
【０１０３】
様々な実施形態において、制御チャネルの送信を促進するｅＮＢにより用いられる装置は、複数の命令を格納するよう構成された１または複数のコンピュータ可読記録媒体および１または複数のコンピュータ可読ストレージに連結された１または複数のプロセッサを備える。１または複数のプロセッサは、複数の命令を実行することに応じて、１または複数のＵＥに対して、複数の局在のＥＣＣＥを有する局在のＥＰＤＣＣＨ−ＰＲＢセットおよび複数の分散型のＥＣＣＥを有する分散型のＥＰＤＣＣＨ−ＰＲＢセットを設定し、探索空間方程式に基づいて、局在のＥＰＤＣＣＨ候補を決定し、探索空間方程式に基づいて、複数の分散型のＥＰＤＣＣＨ候補のセットを決定する。局在のＥＰＤＣＣＨ候補のそれぞれは、局在のＥＰＤＣＣＨ−ＰＲＢセットの１または複数の局在のＥＣＣＥに対応する。複数のＥＰＤＣＣＨ候補のそれぞれは、分散型のＥＰＤＣＣＨ−ＰＲＢセットの分散型のＥＣＣＥのうちの１または複数に対応する。
【０１０４】
いくつかの実施形態では、局在のＥＰＤＣＣＨ候補のセットは、局在のＥＰＤＣＣＨ−ＰＲＢセットの複数のＰＲＢのペアのそれぞれの複数のＥＣＣＥを含む。
【０１０５】
いくつかの実施形態では、複数の分散型のＥＰＤＣＣＨ候補のセットの異なる分散型のＥＰＤＣＣＨ候補は、複数のＰＲＢのペアの異なる複数の局在のＥＣＣＥの複数のＥＲＥＧを含む複数の分散型のＥＣＣＥに、最初にマッピングされ、次に他の分散型のＥＰＤＣＣＨ候補と同じ局在のＥＣＣＥの複数のＥＲＥＧを含む複数の分散型のＥＣＣＥにマッピングされる。
【０１０６】
いくつかの実施形態では、複数の局在のＥＣＣＥは、複数のＰＲＢのペアの第１のセットに関連し、複数の分散型のＥＣＣＥは、複数のＰＲＢのペアの第２のセットに関連し、複数のＰＲＢのペアの第１のセットおよび第２のセットは、１または複数の共通のＰＲＢのペアを含む。
【０１０７】
いくつかの実施形態では、複数の分散型のＥＰＤＣＣＨ候補は、複数の分散型のＥＰＤＣＣＨ候補のそれぞれに含まれる複数の分散型のＥＣＣＥの数を示すアグリゲーションレベルを有し、複数の分散型のＥＰＤＣＣＨ候補は、２または２より大きいアグリゲーションレベルを有し、前記複数の分散型のＥＰＤＣＣＨ候補のそれぞれは、前記複数のＰＲＢのペアの複数の局在のＥＣＣＥの同じセットから複数の分散型のＥＲＥＧに最初にマッピングされ、次に、複数の局在のＥＣＣＥの同じセット内の複数のＥＲＥＧが利用可能でない場合、複数の局在のＥＣＣＥの異なるセットから複数の分散型のＥＲＥＧにマッピングされる。
【０１０８】
様々な実施形態は、制御チャネルの送信を促進するｅＮＢにより用いられる装置を提供する。装置は、複数の拡張制御チャネルエレメント（ＥＣＣＥ）を含む第１の拡張物理下りリンク制御チャネル（ＥＰＤＣＣＨ）物理リソースブロック（ＰＲＢ）をユーザ機器（ＵＥ）に対して設定する手段と、複数のＥＣＣＥを含む第２のＥＰＤＣＣＨ−ＰＲＢセットをＵＥに対して設定する手段と、第１の開始候補インデックスに基づいて、第１のＥＰＤＣＣＨ−ＰＲＢセットの１または複数のＥＣＣＥに対応する複数のＥＰＤＣＣＨ候補の第１のセットを決定する手段と、第１の開始候補インデックスとは異なる第２の開始候補インデックスに基づいて、第２のＥＰＤＣＣＨ−ＰＲＢセットの１または複数のＥＣＣＥに対応する複数のＥＰＤＣＣＨ候補の第２のセットを決定する手段とを含む。
【０１０９】
いくつかの実施形態では、第１および第２の開始候補インデックスは、予め定められたオフセットにより区別されている。
【０１１０】
いくつかの実施形態では、第１および第２の開始候補インデックスは、複数の異なる乱数を用いることにより独立して決定される。
【０１１１】
いくつかの実施形態では、複数のＥＰＤＣＣＨ候補の第１のセットは、同じＰＲＢのペアの複数のＥＲＥＧを有する１または複数の局在のＥＣＣＥに対応する複数の局在のＥＰＤＣＣＨ候補を含む。複数のＥＰＤＣＣＨ候補の第２のセットは、複数のＰＲＢのペアから複数のＥＲＥＧを有する１または複数のＥＣＣＥに対応する分散型のＥＰＤＣＣＨを含む。
【０１１２】
いくつかの実施形態では、装置は、複数のＥＰＤＣＣＨ候補の第１または第２のセットのＥＰＤＣＣＨ候補で、ＵＥに対するＥＰＤＣＣＨを送信する手段をさらに含む。
【０１１３】
様々な実施形態は、制御情報の受信を促進するＵＥにより用いられる装置を提供する。装置は、ｅＮＢから、第１の数のＰＲＢのペアを含む第１のＥＰＤＣＣＨ−ＰＲＢセットに対する複数の設定パラメータを受信する手段と、ｅＮＢから、第２の数のＰＲＢのペアを含む第２のＥＰＤＣＣＨ−ＰＲＢセットに対する複数の設定パラメータを受信する手段と、ｅＮＢから複数のＥＰＤＣＣＨ候補の第１のセットを受信する手段と、ｅＮＢから複数のＥＰＤＣＣＨ候補の第２のセットを受信する手段とを含む。複数のＥＰＤＣＣＨ候補のそれぞれは、ＵＥがＥＰＤＣＣＨについて監視する第１のＥＰＤＣＣＨ−ＰＲＢセットの１または複数の拡張制御チャネルエレメント（ＥＣＣＥ）に対応する。複数のＥＰＤＣＣＨ候補の第２のセットの複数のＥＰＤＣＣＨ候補のそれぞれは、ＵＥがＥＰＤＣＣＨについて監視する第２のＥＰＤＣＣＨ−ＰＲＢセットの１または複数のＥＣＣＥに対応する。複数のＥＰＤＣＣＨ候補の第２のセット内の複数のＥＰＤＣＣＨ候補の数に対する複数のＥＰＤＣＣＨ候補の第１のセット内の複数のＥＰＤＣＣＨ候補の数の割合は、第２の数のＰＲＢのペアに対する第１の数のＰＲＢのペアの割合にほぼ等しい。
【０１１４】
いくつかの実施形態では、第１および第２のＥＰＤＣＣＨ−ＰＲＢセットは、両方とも、複数の分散型のＥＣＣＥを有する複数の分散型のＥＰＤＣＣＨ−ＰＲＢセットとして設定され、または両方とも、複数の局在のＥＣＣＥを有する複数の局在のＥＰＤＣＣＨ−ＰＲＢセットとして設定される。
【０１１５】
いくつかの実施形態では、第１のＥＰＤＣＣＨ−ＰＲＢセットは、複数の局在のＥＣＣＥを有する局在のＥＰＤＣＣＨ−ＰＲＢセットとして設定され、第２のＥＰＤＣＣＨ−ＰＲＢセットは、複数の分散型のＥＣＣＥを有する分散型のＥＰＤＣＣＨ−ＰＲＢセットとして設定される。
【０１１６】
いくつかの実施形態では、第１の数のＰＲＢのペアは、８であり、第２の数のＰＲＢのペアは、４であり、複数のＥＰＤＣＣＨ候補の第１のセット内の複数のＥＰＤＣＣＨ候補の数は、複数のＥＰＤＣＣＨ候補の第２のセット内の複数のＥＰＤＣＣＨ候補の数の２倍である。
【０１１７】
特定の実施形態は、説明の目的で本明細書で例示され、記載されているが、多種多様な別のおよび／または等価の実施形態、または、同じ目的を達成するために計算された実施は、本開示の範囲から逸脱しないで示され、記載される複数の実施形態で置き換えられてよい。本願は、本明細書で記載された複数の実施形態の任意の改変または変形を包含することを意図している。よって、本明細書で記載された複数の実施形態は、請求項またはその等価物によりのみ限定されることを明確に意図している。
【図１】
0005973666.tif 000006
【図２】
0005973666.tif 000007
【図３】
0005973666.tif 000008
【図４】
0005973666.tif 000009
【図５】
0005973666.tif 000010
【図６】
0005973666.tif 000011
【図７】
0005973666.tif 000012